(57)【特許請求の範囲】
【請求項１】
従業員の出退勤などの時刻を打刻印字するタイムレコーダにおいて、使用中のタイムカードの所定の部位を切り取ることにより、該タイムカードを特殊設定カードとして認識するようにし、前記特殊設定カードが使用中のタイムカードに対して設定されている従業員データを新規のタイムカードに引き継がせる引継ぎカードであると認識することを特徴とするタイムレコーダ。
【請求項２】
前記タイムレコーダは、前記特殊設定カードが所定の部位が切り取られていないタイムカードに対する印字の仕方と異なる仕方で印字するタイムカードであると認識する、請求項１記載のタイムレコーダ。
【請求項３】
従業員の出退勤などの時刻が打刻印字されるタイムカードにおいて、使用中の該タイムカードの所定の部位を切り取ることにより、該タイムカードが特殊設定カードとなり、該タイムカードに対して設定されている従業員データを新規のタイムカードに引き継がせる引継ぎカードとして使用可能に形成したことを特徴とするタイムカード。
【発明の詳細な説明】
【技術分野】
【０００１】
本発明は、タイムカードとそのタイムカードを使用するタイムレコーダ、詳しくは通常使用しているタイムカードの所定の部位を切り取れるようにしたタイムカードと、タイムカードの所定の部位が切り取られていることを認識するとそのタイムカードを特殊設定カードと認識するタイムレコーダに関するものである。
【背景技術】
【０００２】
従来、識別コードを持った個人毎のタイムカードを挿入口に挿入して出勤や退勤の時間を記録して個人毎の勤務時間を記憶・集計するようにしたタイムレコーダにおいては、引継カードの作成、勤務時間帯（シフト）の変更、データ削除、及び時計時刻の修正等の特殊設定モード処理と設定のロック並びに解除を行う際に、これらの作成、変更、削除及び設定のロック並びに解除等の処理を操作を、複数キーの操作によってこれらのモードを呼び出して操作しなければならず、操作が煩わしいものであった。そこで煩わしいキー操作を行わなくてもこれらの処理を特殊設定カードの挿入により行なうことができるようにしたタイムレコーダが既に知られている（例えば、特許文献１）。このタイムレコーダでは、特殊設定カート作成システムを起動させるためにタイムレコーダの２つのキーボタンの同時押し等の操作を行なうことにより通常使用するタイムカードから特殊設定カードを作成することができるようにしたものである。
【特許文献１】特開２００４−７８４２３号公報
【発明の開示】
【発明が解決しようとする課題】
【０００３】
本発明が解決しようとする問題点は、上述のシステムでは、特殊設定カードを作成するためにはタイムレコーダのキーボタンの押し操作が必要になり、そのため管理者などが事前に作成しなければならない煩わしさもあるし、特殊設定カードという余分なカードを別途作らなければならない問題もあった。
【０００４】
本発明は、上記問題点を解決し、従業員が現在使用している自分のタイムカードを特別な操作をすることなく簡単に特殊設定カードに変身させることができ別途特殊設定カードを用意する必要がない上、管理者の手を煩わせることがなくカード引継等の処理が行えるようにしたタイムカードとそのタイムカードを使用するタイムレコーダを提供することを課題とする。
【課題を解決するための手段】
【０００５】
前記課題を解決するために本発明に係るタイムレコーダは、従業員の出退勤などの時刻を打刻印字するタイムレコーダにおいて、使用中のタイムカードの所定の部位を切り取ることにより、該タイムカードを特殊設定カードとして認識するようにし、前記特殊設定カードが使用中のタイムカードに対して設定されている従業員データを新規のタイムカードに引き継がせる引継ぎカードであると認識することを特徴とする。
【０００６】
また、前記タイムレコーダは、前記特殊設定カードがタイムカードの所定の部位が切り取られていないカードに対する印字の仕方と異なる仕方で印字するタイムカードであると認識し、正社員に対応するタイムカードとアルバイト社員に対応するタイムカードとに印字を打ち分けられるようにしてもよい。
【０００７】
前記課題を解決するために本発明に係るタイムカードは、従業員の出退勤などの時刻が打刻印字されるタイムカードにおいて、使用中の該タイムカードの所定の部位を切り取ることにより、該タイムカードが特殊設定カードとなり、該タイムカードに対して設定されている従業員データを新規のタイムカードに引き継がせる引継ぎカードとして使用可能に形成したことを特徴とする。
【発明の効果】
【０００８】
請求項１の発明によれば、通常使用しているタイムカードを簡単に特殊設定カードに変身させることができ、別途特殊設定カードを用意することによる無駄な経費を削減することができる。
【０００９】
また、タイムカードの所定の部位を切り取る簡単な作業でタイムレコーダは引継ぎカードであると認識して引継ぎ処理を行なうので、管理者でなくても従業員が自分で使用中のタイムカードの情報を新規のタイムカードに引き継ぐことができ、管理者にとって月末の繁忙時に手を煩わされることのないタイムレコーダを提供することができる。
【００１０】
請求項２の発明によれば、タイムレコーダは同一の書式のタイムカードでありながらカードの所定の部位が切りかかれているか否かで簡単に正社員用のタイムカードなのかアルバイト社員用のカードなのかを判断して印字の仕方を変えて打刻印字することができ、別
々のタイムカードを用意することがなく同一の書式のカードで全ての従業員に対応することができる。
【００１１】
請求項３の発明によれば、タイムカードの所定の部位を切り取りできるようにしたので、切り取ったか否かをタイムレコーダで判断できるようにすれば同じタイムカードでありながら使用方法を変えることを可能にすることができる。
【発明を実施するための最良の形態】
【００１２】
図１（ａ）は、本発明に係るタイムカード１の一例を示し、このタイムカード１は通常使用しているタイムカード１を従業員等が簡単に特殊設定カード１´に変身させることができるように構成されているものである。この変身はタイムカード１に設けた変更指示部２に従って所定の部位３を切り取ることにより実施できるもので、この変更指示部２は手で千切りやすいようにミシン目で形成されていればよい。なお、この変更指示部２は鋏やパンチャーで切取部３が判るように破線などの印刷で形成されていてもよい。
【００１３】
変更指示部２に従ってタイムカード１の所定の部位（以下、切取部という）３を切り取られたタイムカード１は、図１（ｂ）に示すように、切り取られた部分がカード固有の識別コードＤを構成するパンチ穴４と同一線上に位置しているので、パンチ穴４を検知するためのセンサ（例えば、透過型フォトインタラプタ）で切取部３が切り取られているか否かが検知でき、この検知からタイムレコーダはタイムカード１が特殊設定カード１´に変身したか否かが判るようにしたものである。
【００１４】
ところで、上記タイムカード１にはタイムレコーダが他のタイムカードと識別するために、パンチ穴４で構成されるカード固有の識別コードＤを備えている。このパンチ穴４をカードの左右にそれぞれ９個を設けた場合は１８個のパンチ穴４で２５６０００通りの識別コードＤを設定することができ、２５６０００通りのタイムカード１を作成することができるようになっている。
【００１５】
したがって、初期時に従業員の個人データ（名前、勤務体系など）とタイムカード１の識別コードＤとを対応させてメモリに記憶させておき、月が変わって新しいタイムカード１を使用する場合は、今まで使用していたタイムカード１の識別コードＤに対応している個人データを新しいタイムカード１の識別コードＤに引継ぐ必要がある。
【００１６】
この際、新しいタイムカード１のパンチ穴４のパターンは今まで使用していたタイムカード１のパンチ穴４のパターンとは一致するとは限らないので（２５６０００通りの中から適宜に選択するため）、識別コードの異なるタイムカード１を同じ従業員が使用することになり、識別コードＤが異なっているカードであっても同じ従業員のカードであることをタイムレコーダに認識させるために引継ぎという処理をする必要がある。その為には別途引継ぎカード（図示せず）を用意し、この引継ぎカードをタイムレコーダに差し込んでタイムレコーダが引継ぎ処理ができるようにさせた後、今まで使用していたタイムカード１を差し込むと、そのタイムカード１の識別コードＤを読み取り、その識別コードＤに対応した従業員の個人データをメモリから読み出し、読み出した個人データ（従業員名、勤務体系など）を新しいタイムカード１に印刷するとともに、今まで使用していたタイムカード１の識別コードＤとこれから使用するタイムカード１の識別コードＤとが同じ従業員であることを引き継ぐようにしている。
【００１７】
この引継ぎカードは引継ぎカードであることをタイムレコーダが認識できるようにパンチ穴４が特別のパターンに設定されているものを別途用意してもよいが、本発明ではタイムカード１の切取部３を切り取って作成した特殊設定カード１´を引継ぎカードに適用する場合について説明する。
【００１８】
具体的には、図１（ａ）に示すように、タイムカード１の切取部３が手で引きちぎれるように変更指示部２としてミシン目が入れてあるので、従業員が月末が近くなって来月のタイムカード１を事前に作成しておこうと思った場合は、今まで使用していたタイムカード１の切取部３をミシン目２に従って引きちぎって、図１（ｂ）のような状態にし、このタイムカード１をタイムレコーダに差し込めば差し込まれたタイムカード１が引継ぎカードであることをタイムレコーダが認識できるようにプログラミングしておけばよい。
【００１９】
図２は、タイムレコーダの制御系の構成を示したブロック図を示し、図２において、符号１０はＣＰＵ（制御部）、１１は時計回路、１２はＲＯＭ、１３はＲＡＭを示し、ＣＰＵ１０は、時計回路１１から時刻情報を読み込んで表示部１４に時刻や曜日や日付等を表示するとともに、モータ駆動回路１５を制御してカード送りモータ１６を正逆両方向へ回転駆動することによりタイムカード１の引込や排出を行い、プリンタ駆動回路１７を制御してプリンタ１８によりタイムカード１に時刻が印字されるようになっている。
【００２０】
さらに、上記ＣＰＵ１０には、タイムレコーダに挿入されたカードを検知するカード挿入検知センサ２０、カード送りモータ１６によるタイムカード１の送り量を検出するためのカード位置検出センサ２１、タイムカード１の識別コードＤを読み取る識別コード読取部２２と、操作ボタン２３等とが設けられている。
【００２１】
識別コード読取部２２は、タイムカード１に形成されたパンチ穴４の有無を検出する透過型のフォトインタラプタで構成され、識別コード読取部２２で検出したパンチ穴４のパターンからＣＰＵ１０はタイムカード１固有の識別コードＤを認識できるようになっている。
【００２２】
また、符号２５はＵＳＢインタフェース、２６はメモリカードリーダ／ライタを示し、ケーブル接続したコンピュータまたはメモリカードスロットへ挿入したメモリカードにＲＡＭ内のデータを転送したり、ＲＡＭにデータの書き込みをしたりすることができる。
【００２３】
そして、ＲＯＭ１２（ＥＥＰＲＯＭ）には、タイムレコーダ制御プログラムと、個人別の月間スケジュールの勤務時間帯を示す予定シフトや、各シフト番号に対応したＬＳＴ（日付変更時刻）が書換可能に記憶されている。
【００２４】
ＲＯＭ１２のタイムレコーダ制御プログラムは、カード駆動および時刻印字と時間集計を行う機能に加えて、ＲＯＭ１２に書き込まれた個人別の月間スケジュールの勤務時間帯に応じて日付変更時刻を切り換える機能を有するとともに、その勤務時間帯である勤務体系を示す数字をタイムカード１に印字する機能を備えている。
【００２５】
また、ＲＡＭ１３には、タイムレコーダ制御プログラムの制御に用いられるデータや、タイムカード１への印字動作や日付の変更その他の日によって変わるデータが一時的に記憶されるようになっている。
【００２６】
次に、上記タイムレコーダによる引継ぎ処理について図３のフローチャート図に基づいて説明する。
【００２７】
制御部１０はタイムレコーダにタイムカード１が挿入されるのを待ち（ステップＳＴ１）、タイムカード１が挿入されると、ステップＳＴ２に進んでタイムカードの切取部３が切り取られているか否か（識別コード読取部２２が切取部で光の透過を感知するか否か）を判断し、光の透過がなければ切取部３が切り取られていない通常のタイムカード１と判断し、ステップＳＴ３に進んで現在の時刻を指定位置に印字し、印字が終わったカードは排出し（ステップＳＴ４）、ステップＳＴ１に戻って次のカードが挿入されるのを待つ。
【００２８】
切欠きがあれば、ステップＳＴ５に進んで、この切欠きのあるカードが今月初めて挿入されたカードか否かを判断し（ステップＳＴ５）、このカードが初めてタイムレコーダに挿入されたものであれば、このカードは特殊設定カード（引継ぎカード）１´であると判断し、ステップＳＴ６に進んで、引継ぎ処理を行うためこのカードの識別コードに対応した個人データをＲＯＭ１２から読み出してＲＡＭ１３に記憶するとともにタイムカードを排出し（ステップＳＴ７）、表示部１４に新しいカードの挿入を促す要求メッセージを表示する（ステップＳＴ８）。
【００２９】
従業員は新しいタイムカードが収納されているラックから任意のタイムカードを一枚取り出し、取り出した新しいタイムカード１をタイムレコーダに挿入する（ステップＳＴ９）。
【００３０】
新しいタイムカードが挿入されたら、制御部１０はこのタイムカードは翌月使用するカードとして、このカードに従業員の名前や勤務体系などの個人データを印刷するとともに、新しいカードから読み取った識別コードＤと古いカードの識別コードＤとを紐付けしてメモリに記憶し、次にこのカードが挿入されてカードの識別コードＤを読んだときにはこの識別コードＤが古いカードの識別コードＤに対応した従業員と同じ従業員であることが認識できるようにしている（ステップＳＴ１０）。
【００３１】
新しいタイムカードに紐付けが終了したらそのタイムカードを排出し（ステップＳＴ１１）、ステップＳＴ１に戻って次のカードが挿入されるのを待つ。
【００３２】
なお、月末になって従業員全員が使用中のカードを引継ぎカードに変更する作業をするとこの作業が集中するので、事前に引継ぎカードを作成しておけるようにすることが好ましい。この場合は、タイムカード１の一部が切り欠かれて引継ぎカードになっているが、このタイムカード１は月が変わるまで今までどおり普通のタイムカード１として使用しなければならないので、ステップＳＴ５で、初めて読み込んだカードなのか否かを判断し、既に読み込んで新しいカードに引継ぎが終わっているのであれば、引継ぎ処理を行なう必要はないのでステップＳＴ３に進んで、通常のタイムカード１と同様に指定位置（当日の出勤欄や退出欄など）に時刻を打刻印字し、印字後のカードを排出すればよい。
【００３３】
上述のように、管理者や総務職員が従業員全員の翌月のタイムカードを作成しなくても従業員が自分で翌月のタイムカードを作成することができるので、管理者や総務職員などの手を煩わせることがなくなり、月末に処理しなければならない仕事に専念することができる。
【００３４】
なお、上述の特殊設定カード１´を引継ぎカードとしてタイムレコーダが判断する場合を説明したが、正社員およびアルバイト社員の何れもが同じタイプのタイムカードを使用する場合、タイムレコーダがどちらの従業員が使用するタイムカードなのかが識別できるようにしたタイムカードとしてもよい。
【００３５】
一般に、正社員は出勤、退勤時にのみタイムカード１に打刻し、アルバイト社員は出勤、退勤に加え昼休みに職場を離れた時、職場に戻った時の時刻をタイムカード１に打刻できるようにしており、所定の部位をちぎってタイムレコーダに挿入すると、タイムレコーダはこのタイムカード１は正社員のタイムカード１であると判断し、図４（ａ）に示すように、一行に２日分の出勤・退勤時刻を打刻するように、１列目と４列目とが日付欄、２列目と５列目とが出勤時刻欄、３列目と６列目とが退勤時刻欄とし、そのカードを出退２欄の表面１ヶ月印字カードに変身させることができ、従業員の場合はタイムカードの片面で１ヶ月の出退勤状況を把握することができ、タイムカードのコピーをとる場合も片面だけコピーすれば済むので手間や経費の軽減を図ることができる。
【００３６】
また、所定の部位をちぎらずにタイムレコーダに挿入すると、タイムレコーダはこのタイムカード１はアルバイト社員のタイムカード１であると判断し、図４（ｂ）に示すように、１行に１日分の出退時刻を４回打刻するように、１列目が日付欄、２〜４列が出勤時間、退室時間、入室時間、退勤時間とし、そのカードを出退４欄の表裏面１ヶ月印字カードとして使用することができる。
【００３７】
上述したように、同一のタイムカードでありながら所定の部位を切り取るか否かで従業員用タイムカードとアルバイト社員用タイムカードとに簡単に設定ができるので、別個のタイムカードを作らなくても済み、タイムカードの在庫管理も楽になる。
【００３８】
なお、図５（ａ）は、タイムカードの他の例を示し、このタイムカード１はカードの下部中央に円形の変更指示部２が印刷もしくはミシン目で形成され、この変更指示部２で指定された場所を穴あけパンチなどで切取部３を切り取ってもよいし、ミシン目に沿って手で切取部３を切り取って特殊設定カード１´にしてもよい（図５（ｂ）参照）。このカードを使用するタイムレコーダにはこの変更指示部２に対応した位置に透過型フォトインタラプタを配置しておき、このフォトインタラプタが切取部３が切り取られていることを検知した場合は制御部はこのタイムカードは特殊設定カードであることを認識するようにしておけばよい。
【００３９】
上述したように、従業員が自分が使用しているタイムカードの所定の部位を切り取ることにより、タイムカードを特殊設定カードに変身させることができ、この特殊設定カードにどのような機能を持たせるかはタイムレコーダ側で自由に設定することが可能になる。しかも、実際にタイムカードを使用している従業員が管理者の手を煩わせることなく自分のタイムカードを簡単に特殊設定カードに変身させることができるので、別途、特殊設定カードを用意する必要もなくなりカードの管理や作業の効率化を図ることができる。
【００４０】
当然ながら、1枚のタイムカードに複数の切取部を設けてもよい。例えば、２箇所の切取部を設け、それぞれの切取部を引継ぎモードと印字モード（正社員用、パート社員用）とに対応させて２態様のカードとすることができるようにした場合は、月初に印字モード用の切取部を切り取るか否かで１枚のタイムカードをタイムレコーダに正社員用タイムカードと認識させるかパート社員のタイムカードとして認識させるかを設定できるとともに、月末に引継ぎモード用の切取部を切り取ることでタイムカードを引継ぎカードに変身させることができるので１枚のタイムカードを２態様に対応したタイムカードに変身させることができる。
【図面の簡単な説明】
【００４１】
【図１】（ａ）（ｂ）は本発明に係るタイムカードの説明図
【図２】タイムレコーダの制御系の構成を説明するブロック図
【図３】タイムレコーダの引継ぎ処理を説明するフローチャート図
【図４】（ａ）（ｂ）はタイムカードの他の使用態様の説明図
【図５】（ａ）（ｂ）は切取部の他の例を説明するタイムカード
【符号の説明】
【００４２】
１    タイムカード
１´    特殊設定カード
２    変更指示部
３    所定の部位（切取部）
４    パンチ穴
【図１】
0005151291.tif 000002
【図２】
0005151291.tif 000003
【図３】
0005151291.tif 000004
【図４】
0005151291.tif 000005
【図５】
0005151291.tif 000006